(57)【特許請求の範囲】
【請求項１】
上部片の両側に脚部片を相対設した台枠に先端にローラを回動自在に枢着した受圧材を進退操作自在に装置し、コンクリート製枕木に設けた溝の側縁で構成し、しかも、前記枕木上のレールを対称軸として対称的に平面視レールに交差する方向の、一対の斜め方向段部の一方に前記各脚部片の後端を係止する一方、前記ローラを前記レールの側面に係止させて前記レールの転倒を防止するようにしたレール転倒防止器において、一方の前記脚部片の後端が係止する前記一方の斜め方向段部の部分より前記レールに近接する部分において、前記一方の斜め方向段部に係止する他方の脚部片側に、他方の前記斜め方向段部に前記一方の脚部片の前記後端を係止させたとき、自由端を前記他方の脚部片の後端後方に重ね合せて前記他方の斜め方向段部の部分に係止させる係止駒を回動自在に枢着した、レール転倒防止器。
【発明の詳細な説明】
【技術分野】
【０００１】
本発明は、レールの設定替に際し、緊張器による緊張によってレールが転倒するのを防止するため、レールの長手方向に沿う適所、殊にレールの曲部近傍に固定的に配置してローラをレール側面に当接させて、前記緊張器による緊張力から生じるレール転倒方向の負荷を受けてレールの転倒を防ぐレール転倒防止器に関するものである。
【背景技術】
【０００２】
上部片の両側に脚部片を相対設した台枠に先端にローラを回動自在に枢着した受圧杆を進退操作自在に装置し、コンクリート製枕木に設けた溝の側壁に前記各脚部片の一端を係止する一方、前記ローラを前記レールの側面に係止させて前記レールの転倒を防止するようにしたレール転倒防止器は公知である（例えば、特許文献１）。
【０００３】
【特許文献１】特開平８−３０２６０４号公報
【発明の開示】
【発明が解決しようとする課題】
【０００４】
前記レール転倒防止器は、慨し、プレキャストコンクリート製の枕木上に敷設したレールを挟んだ両側に溝のレールに相対する側壁を設け、前記溝内に、装置したばね式締結装置によってレールを前記枕木に締結するようにしたレール装置の前記溝のレールに相対する側壁（縁）を利用するもので、前記溝の、レールに相対する両側縁が互いに平行な関係にある場合は、そのいずれの側縁を利用しても各脚部片の一端を該側縁に、ローラをレールの側面にそれぞれ係止させて当該レールの転倒を防止できるようになっている。すなわち、レールの内側と外側いずれに対しても（長手方向に沿う左右両側いずれにも）一種類のレール転倒防止器を方向を逆にして配することにより所期の目的であるレール転倒防止を機能させることができる。
【０００５】
ところが、レールと相対する前記両側縁がばね式締結装置のばね形式の相違によってレールを対称軸として対称的に、レールと交差する方向に配している場合があり、このようなときは、台枠の前記脚部片の一端を側壁（縁）に係止するだけの構造のものでは、レールの長手方向に沿う一方側（内側）に適用できても、他方側（外側）に適用できないので、それぞれ専用のもの（２種類のもの）を用意しなければならない。
【０００６】
従って、現場への搬送は、勿論、在庫管理にも不便を来たしているのが現状である。
【０００７】
本発明は、従来の上記欠点を除去し、コンクリート製枕木に設けた溝の、枕木上のレールを対称軸として対称的に前記レールに対して角度を持たせた、レールに相対する一対の傾斜側壁の、いずれの側にも配置してレール転倒方向の負荷を受けることのできるレール転倒防止器を提供することを目的として創案したものである。
【課題を解決するための手段】
【０００８】
上部片の両側に脚部片を相対設した台枠に先端にローラを回動自在に枢着した受圧杆を進退操作自在に装置し、コンクリート製枕木に設けた溝の、側縁で構成し、しかも、前記枕木上のレールを対称軸として対称的に平面視レールに交差する方向の一対の斜め方向段部の一方に前記各脚部片の後端を係止する一方、前記ローラを前記レールの側面に係止させて前記レールの転倒を防止するようにしたレール転倒防止器を改良したものであって、一方の前記脚部片が係止する前記一方の斜め方向段部の部分より前記レールに近接する部分において前記一方の斜め方向段部に係止する他方の脚部片側に、他方の前記斜め方向段部に前記一方の脚部片の前記後端を係止させたとき、自由端を前記他方の脚部片の後端後方に重ね合せて前記他方の斜め方向段部の部分に係止させる係止駒を回動自在に枢着した構成とするのである。
【発明の効果】
【０００９】
本発明によれば、レールを挟んだ両側に設けた溝の、前記レールに相対する外側壁（縁）が互いに平行する場合（レールに対して角度をもたせて平行する場合も）は勿論、レールに対して角度を持たせてレールを対称軸として互いに平面視傾斜している場合には、レールに沿う左右両側の一方側の場合には脚部片の一端を当該一方の外側壁に係止させて、他方側の場合には係止駒を当該他方の外側壁に係止させて転倒防止効果を期待でき、取扱い上、好適な転倒防止器を提供できる。
【実施例】
【００１０】
図面は、本発明に係るレール転倒防止器の一実施例を示し、図１はレール転倒防止器を配置したレールの平面図、図２は図１の一部欠截拡大平面図、図３は図２の側面図、図４は係止駒を突出させたときの、レール転倒防止器の側面図、図５は図４の底面図、図６は図４の側面図、図７は図４の一部欠截平面図、図８は係止駒を収納した状態の側面図、図９は図８の底面図、図１０はレールを締結した状態の断面図、図１１は規制装置部の拡大断面図である。
【００１１】
本発明に係るレール転倒防止器Ａは、レールＲをコンクリート製の枕木Ｃに締結する締結金具Ｂのばね受台Ｂｂを受圧する溝（凹入部）１の側縁で構成し、しかも、前記枕木Ｃ上のレールＲを対称軸として対称的にレールＲに交差する方向に沿わせた一対の斜め方向段部１ａ，１ａの一方と、前記レールＲの側面Ｒｂとの間に介在させて配置してレールＲの転倒を防ぐものである。
【００１２】
前記溝１は、枕木Ｃの上面の、長手方向の両側部を残した中央部に設けたもので、該溝１の長手方向の中央の浅い部分に載置した前記レールＲを、該レールＲと一方の前記斜め方向段部１ａ間に介在させた締結金具Ｂで締結し、斜め方向段部１ａ，１ａは一端から他端方向に前記レールＲを介して次第に近接し、しかも、レールＲを対称軸としてほぼ対称的に設けられ、それは、前記の通り溝１の側端で構成してあるが、レールＲの長手方向に沿う両側にそれぞれ独立した溝（凹入部）を設け、各溝のレールＲに相対する側縁（端）で構成したもので、本発明を適用しても何等不都合はない。
【００１３】
なお、締結金具Ｂは、図１０で示す通り、前記枕木Ｃにボルトｂで締付けてレールＲの台座部Ｒｃを押え付けた金具本体Ｂａと、該金具本体Ｂａと前記斜め方向段部１ａ，１ａとの間に防ぐ、楔上の前記ばね受台Ｂｂとで成り、レールＲの両側に配してレールＲを枕木Ｃに締結するものである。
【００１４】
図示の場合は、レールＲを介して相対し、レールＲに対して交差方向に配せられ、かつ、レールＲを対称軸として互いに対称位置に（平面視ハの字状を成すように）配した前記段部１ａ，１ａと金具本体Ｂａとの間にばね受台Ｂｂを押し込んで（摺嵌して）レールＲを枕木Ｃに締め付けるようになっている。
【００１５】
そして、締付け金具ＢでレールＲを枕木Ｃに締結する前に行われるレールＲの設定替に際し、緊張器による緊張によって、慨し、曲路のレールＲの転倒を防ぐために、本発明に係る転倒防止器Ａを斜め方向段部１ａとレールＲの側面Ｒｂとの間に介在させて用いるのである。
【００１６】
レール転倒防止器Ａは、台枠２、筒体３、受圧材４および押圧ボルト５を互いに組付けて構成し、前記の通りレール側面Ｒｂと該レール側面Ｒｂに交差する方向にして枕木Ｃに設けた、一方の斜め方向段部１ａ間に介在させ、台枠２の脚部片の後端側を前記斜め方向段部１ａに、レール側面Ｒｂに受圧材４に設けたローラをそれぞれ係止させ、レールＲの転倒を防ぐものである。
【００１７】
台枠２は、レールＲ側に配する側の先端に、前記締結金具Ｂを締結するための前記ボルト杆ｂを係合する切欠６ａを設けた上部片６の両側に、一方の後端７ａが他方の後端７´ａに対して前方に位置する一対の脚部片７，７´を相対設し、他方の脚部片７´の後端７´ａより前方側（レールＲ側）位置に後端７ａを配した一方の脚部片７の前方側に起立部片８を重ね合せて立設し、また、前記一方の脚部片７の後端７ａ側の内面部に上下一対の支持部片９，９を設け、該支持部片９，９に基部を係合して、前記後端７ａに後方において重なり合う係止駒１０を軸１１で回動自在に枢着したものである。
【００１８】
この台枠２は、脚部片７，７それぞれの後端７ａ，７´ａを、枕木Ｃに設けた斜め方向段部１ａ，１ａ´の一方１ａ側（レールＲを介する一方側）にレール転倒防止器Ａを配置する際、該一方の斜め方向段部１ａの部分ｐａに一方の脚部片７の後端７ａを、前記部分ｐａよりレールＲから離開した、斜め方向段部１ａの他の部分ｐｂに他方の脚部片７´の後端７´ａをそれぞれ係止するようにして用い（図２において２点鎖線で示す）、他方の斜め方向段部１ａ´側にレール転倒防止器Ａを配置する際には、該段部１ａ´のレールＲに近接する側の部分ｐａ´に前記他方の脚部片７´の後端７´ａを、前記部分ｐａ´よりレールＲから離開した斜め方向段部１ａ´の他の部分ｐｂ´に、軸１１を中心に回動させて台枠１から突出させて一方の脚部片７の後端７ａの後方に重ね合わせた前記係止駒１０をそれぞれ係止して用いるようにしてある（図２、実線で示す転倒防止器）。
【００１９】
前記筒体３は周側に突設した部片３ａにおいて、台枠２の前記起立部片８に重ね合わせてボルト１２で止着して台枠１の前後方向に横設したもので、この筒体３には受圧材４を貫通させて組付け、該受圧材４の筒体３より突出させて台枠２の前記上部片６の先端より突出させた主体杆４ａの先端に、レールＲの側面Ｒｂに接触させるローラ４ｂを回動自在に枢着し、筒体３内に位置する主体杆４ａの後端に、筒体３に固装したナット材３ｂに螺合して挿入した前記押圧ボルト５の先端を接触させ、受圧材４（主体杆４ａ）は押圧ボルト５によって押圧されて筒体３に沿って前進し、その先端に設けたローラ４ｂがレール側面Ｒｂに圧接（係止）するようにしてある。
【００２０】
そして、枕木Ｃに設けた斜め方向段部１ａ，１ａ´の一方１ａ側（レールＲを介する一方側）にレール転倒防止器Ａを配置する際、該一方の斜め方向段部１ａの部分ｐａに一方の脚部片７の後端７ａを、前記部分ｐａよりレールＲから離開した、斜め方向段部１ａの他の部分ｐｂに他方の脚部片７´の後端７´ａをそれぞれ当てるようにする一方、筒体３に組合わせた受圧材４のローラ４ｂを、レールＲの側面Ｒｂに当てて押圧ボルト５を回動させると、押圧ボルト５は筒体３に沿って前進して受圧材４を押圧し、受圧材４の先端のローラ４ｂがレールＲの側面Ｒｂに接触する一方、脚部片７，７´の後端７ａ，７´ａは斜め方向段部１ａの、それぞれ対応する部分ｐａ又はｐｂに接触し、レールＲの転倒防止状態を得られるのである。
【００２１】
また、他方の斜め方向段部１ａ´側にレール転倒防止器Ａを配置する際には、該段部１ａ´のレールＡに近接する側の部分ｐａ´に前記他方の脚部片７´の後端７´ａを、前記部分ｐａ´よりレールＲから離開した斜め方向段部１ａ´の他の部分ｐｂ´に、軸１１を中心に回動させて台枠１から突出させて一方の脚部片７の後端７ａの後方に重ね合わせた前記係止駒１０をそれぞれ当てるようにする一方、前記一方の斜め方向段部１ａ側にレール転倒防止器Ａを配置する際と同様に、筒体３に組合わせた受圧材４のローラ４ｂを、レールＲの側面Ｒｂに当てて押圧ボルト５を回動させると、押圧ボルト５は筒体３に沿って前進して受圧材４を押圧し、受圧材４の先端のローラ４ｂがレールＲの側面Ｒｂに接触する一方、脚部片７の後端７ａに重ね合わせた係止駒１０は、斜め方向段部１ａの対応する部分ｐｂ´に、又他の脚部片７´の後端７´ａは段部１ａの前記部分ｐｂ´よりレールＲに近接した部分ｐｂにそれぞれ接触し、レールＲの転倒防止状態を得られるのである。
【００２２】
なお、図中１８は、前記係止駒１０の軸１１を中心とする回動を規制する規制装置で、前記上側支持部片９に嵌合止着した下端開口の筒状本体１８ｂ内に前記開口部より内部に装置したばね１８ｃに付勢されて突出する規制子１８ａを装置し、この規制子１８ａが前記係止駒１０の移動路上を出入するようにし、係止駒１０が突出して前記脚部片７の先端縁７ａに重なり合ったときと、台枠２内に収容されたときのそれぞれの場合に、規制子１８ａが突出して係止駒１０の動きを規制し、突出状態から収容状態へ、収容状態から突出状態へ移行する際に、係止駒１０によって押圧されてばね１８ｃの付勢に抗して筒状本体１８ｂ（上側支持部片９）内に一時的に没入するものである。
【図面の簡単な説明】
【００２３】
【図１】レール転倒防止器を配置したレールの平面図。
【図２】図１の一部欠截拡大平面図。
【図３】図２の側面図。
【図４】係止駒を突出させたときの、レール転倒防止器の側面図。
【図５】図４の底面図。
【図６】図４の側面図。
【図７】図４の一部欠截平面図。
【図８】係止駒を収納した状態の側面図。
【図９】図８の底面図。
【図１０】レールを締結した状態の断面図。
【図１１】規制装置部の拡大断面図。
【符号の説明】
【００２４】
１                溝
１ａ，１ａ´      斜め方向段部
２                台枠
４                受圧材
４ｂ              ローラ
６                上部片
７，７´          脚部片
７ａ，７´ａ      後端
１１              係止駒
【図１】
0004932780.tif 000002
【図２】
0004932780.tif 000003
【図３】
0004932780.tif 000004
【図４】
0004932780.tif 000005
【図５】
0004932780.tif 000006
【図６】
0004932780.tif 000007
【図７】
0004932780.tif 000008
【図８】
0004932780.tif 000009
【図９】
0004932780.tif 000010
【図１０】
0004932780.tif 000011
【図１１】
0004932780.tif 000012